(57)【要約】    【課題】  本発明によれば撮影シーケンスにおいて予測補正量の誤補正によって生じる大ボケ写真を抑制することが可能となる。    【解決手段】  本発明の目的はレリーズタイムラグが長い、ファインダー消失時間が長い、コマ速が遅いときには予測補正量の加減を行う予測をすることで大ボケ写真の抑制する装置を提供すること。【選択図】    図６
2014145880.tif 000002
【特許請求の範囲】
【請求項１】
被写体信号をＡＦセンサに蓄積する信号蓄積手段と、前記被写体信号からデフォーカス量を検出する焦点検出手段と、過去複数回の焦点検出結果から将来の被写体の移動量を予測する予測演算手段と、前記デフォーカス量から撮影レンズの焦点調節を行う焦点調節手段とを有する焦点調節装置において、主ミラーを上げようとしてから実際に上がり始めるまでに時間を要する撮影モードにおいて、被写体の検出距離に応じて前記第一の被写体像予測手段で算出される予測補正量を加減する手段を有することを特徴とする焦点調節装置。
【請求項２】
被写体信号をＡＦセンサに蓄積する信号蓄積手段と、前記被写体信号からデフォーカス量を検出する焦点検出手段と、過去複数回の焦点検出結果から将来の被写体の移動量を予測する予測演算手段と、前記デフォーカス量から撮影レンズの焦点調節を行う焦点調節手段とを有する焦点調節装置において、主ミラーを上げようとしてから実際に上がり始めるまでに時間を要する撮影モードにおいて、被写体信号をＡＦセンサに蓄積する信号蓄積手段で蓄積動作を全素子列対象にすることを特徴とする焦点調節装置。
【請求項３】
被写体信号をＡＦセンサに蓄積する信号蓄積手段と、前記被写体信号からデフォーカス量を検出する焦点検出手段と、過去複数回の焦点検出結果から将来の被写体の移動量を予測する予測演算手段と、前記デフォーカス量から撮影レンズの焦点調節を行う焦点調節手段とを有する焦点調節装置において、主ミラーを上げようとしてから実際に上がり始めるまでに時間を要する撮影モードにおいて、過去複数回の焦点検出結果から将来の被写体の移動量を予測する予測演算手段を禁止する手段を有することを特徴とする焦点調節装置。
【請求項４】
請求項１に記載の撮影モードはレリーズボタンが押されてから実際の撮影が行われる間の動作時間（レリーズタイムラグ）が通常より長い動作時間存在するドライブモードであることを特徴とする焦点調節装置。
【請求項５】
請求項２又は請求項３に記載の撮影モードはミラーアップからミラーダウンまでのファインダー消失時間が通常より長い動作時間存在するドライブモードであることを特徴とする焦点調節装置。
【請求項６】
請求項２又は請求項３に記載の撮影モードは撮影速度（コマ速）が遅いドライブモードであることを特徴とする焦点調節装置。
【請求項７】
請求項１乃至３のいずれか１項に記載の撮影モードは動体被写体を静かに撮影するモード（静音モード）であることを特徴とする焦点調節装置。
【発明の詳細な説明】
【技術分野】
【０００１】
本発明は、カメラ等に用いられる焦点調節装置に関し、特に被写体の動体予測モード機能(AI-SERVO)を持つ焦点調節装置に関するものである。
【背景技術】
【０００２】
従来より、カメラの焦点検出装置に於いて撮影レンズを通った被写体像信号をＡＦセンサに蓄積し、前記ＡＦセンサに蓄積された被写体像信号に基づき、デフォーカス量を検出（焦点検出）する焦点検出装置が知られている。焦点調節装置では動体被写体にピントを合わせ続けるために、動体被写体の動きに連動させて撮影レンズを駆動させる制御方法がある。動体被写体に対してピントを合わせ続ける場合、連写１コマごとに焦点検出をして将来の被写体移動位置を予測した量を前記焦点検出結果に加味して撮影レンズを動かす。将来の被写体移動位置の予測は図４で示すように、焦点検出終了後のミラーアップ動作開始から撮像センサーへの露光までの将来時間に被写体が移動する量（補正量）を求める。
【０００３】
過去にも前記補正量を求める手段として様々な手段を有する焦点調節装置が数多く提案されている。
【０００４】
例えば、特許文献１では撮影レンズに具備される結像位置検出手段から取得した結像位置と、デフォーカス量検出手段により検出されたデフォーカス量とから求められる像面位置および該像面位置の検出時刻とを過去複数回記憶する記憶手段と、前記過去複数回の像面位置および検出時刻の変化から将来の像面位置の変化を予測する像面位置予測手段とを有し、前記像面位置予測手段が、前記撮影レンズに具備される絞り駆動時間予測手段から取得した予測絞り駆動時間に基づいて、露光時の像面位置を予測する手段が開示されている。
【０００５】
また、特許文献２では撮影用レンズを有する撮影光学系と異なる測距光学系を有する測距装置を備え、前記測距装置の測距結果に基づいて前記撮影光学系のピント調節を行うカメラにおいて、撮影状態に応じて決定されるタイムラグ情報を記憶する記憶手段と、前記測距装置により検出された複数回の測距結果に基づいて被写体の移動量を予測演算する予測演算手段とを備え、前記予測演算手段は、前記記憶手段に記憶されているタイムラグ情報に基づいて前記撮影状態に応じたレリーズタイムラグを演算し、前記レリーズタイムラグをもとに、露光時の被写体距離を予測演算する手段が開示されている。
【先行技術文献】
【特許文献】
【０００６】
【特許文献１】特開２００８−２３３８８８
【特許文献２】特開２００３−２２２７９０
【発明の概要】
【発明が解決しようとする課題】
【０００７】
ところで、ミラーアップとミラーダウンを通常よりも静かに行うことで静かに撮影を可能にする撮影モード（静音撮影モード）がある。ミラーアップとミラーダウンを静かに行うためには図５で示す通り図４の通常撮影時に比べて、ミラーアップとミラーダウンにかける時間を長くすることで可能である。ミラーアップとミラーダウンにかかる時間が長くなると、ファインダー消失時間が長くなる。ファインダー消失時間が長くなると、被写体を追いながら撮影する動体撮影モードではファインダー消失時間中に被写体を見失うまたは追いきれない可能性が高い。
【０００８】
さらに、連写中のカメラの連写速度（コマ速）が遅いときのもファインダー消失時間が長い時と同様に撮影１コマで被写体が移動する量は多くなるので撮影者は被写体を見失うまたは追い切れない可能性が高い。
【０００９】
被写体を見失い、追い切れない場合には焦点検出量が適切に算出されないので、この焦点検出結果を用いて予測される被写体の移動量の確度も低くなる。
【００１０】
また、図５で示すようにメカ構成によりミラーアップ動作を開始しても実際にミラーが上がり始めるまでには時間を要するカメラがある。このようにミラーアップにかかる時間が長くなり、ミラーが上がり始めるまでに時間がかかるカメラにおいては、焦点検出から露光開始までに移動する将来の被写体の移動量を予測する時間（レリーズタイムラグ）が長くなる。レリーズタイムラグが長くなると、その間に被写体がどのように動くのか予測が困難になり被写体の移動量の予測量を求める確度が低くなる。その場合ピントが合う確率が低下する。
【００１１】
以上のようにファインダーの消失時間、コマ速、レリーズタイムラグが長いことの要因でピントが合う確率が低下し、かつ大ボケ写真も得られやすくなる。予測が大外れして大ボケ写真をユーザに提供することは好ましくない。
【００１２】
特許文献１に開示された装置の場合、予測する将来の時間が長くなるとその間に被写体がどのように動くのか予測が難しくなり被写体の移動量の予測量の確度が低くなると、ピントが合う確率が低下し、かつ大ボケ写真も多くなる。また、特許文献２も同様の理由でピントが合う確率が低下し、かつ大ボケ写真も多くなる。
【００１３】
そこで、本発明の目的はファインダー消失時間が長い、コマ速が遅いときには光電変換素子列への蓄積動作を全素子列対象にして焦点検出を行い大ボケ写真の抑制し、レリーズタイムラグが長いときには予測補正量の加減を行う予測をすることで大ボケ写真の抑制する装置を提供することである。
【課題を解決するための手段】
【００１４】
上記目的を達成するために、本発明は、第１の光電変換素子列による複数回の被写体像検出結果に基づいて所定時間後の被写体像位置を予測する第１の被写体像位置予測手段と、上記第１の光電変換素子列とは異なる方向に配置された 第２の光電変換素子列による複数回の被写体像検出結果に基づいて所定時間後の被写体像位置を予測する第２の被写体像位置予測手段と、レリーズボタンが押されてから実際の撮影が行われる間の動作時間（レリーズタイムラグ）が通常より長い時間存在するドライブモードのときには被写体の検出距離に応じて前記第一の被写体像予測手段で算出される予測補正量を加減する手段を有することを特徴とする焦点調節装置。
【発明の効果】
【００１５】
本発明によれば撮影シーケンスにおいて予測補正量の誤補正によって生じる大ボケ写真を抑制することが可能となる。
【図面の簡単な説明】
【００１６】
【図１】本発明の請求項１に記載の焦点調節装置の概念を示すブロック図である。
【図２】本発明の実施形態である一眼レフカメラの構成を示すブロック図である。
【図３】位相差方式の焦点検出原理を示した図である。
【図４】通常撮影シーケンス
【図５】静音撮影シーケンス
【図６】本発明の実施例１に関わる予測補正量算出方法をしめたフローチャートである。
【図７】ＡＦセンサへの蓄積指示を限定した場合の焦点検出可能時間における焦点検出回数を示した図である。
【図８】単位時間当たりに被写体がファインダー内を移動する様子を示した図である。
【図９】全ＡＦセンサへの蓄積指示をした場合の焦点検出可能時間における焦点検出回数を示した図である。
【発明を実施するための形態】
【００１７】
以下に、本発明の好ましい実施の形態を、添付の図面に基づいて詳細に説明する。図１は、本発明の実施形態にかかわる焦点調節動作の構成要件である。
【００１８】
図１に於いて、この焦点調節装置は被写体信号を一対の光電変換素子列などからなるＡＦセンサに蓄積する信号蓄積手段（１０１）と、前記被写体信号からデフォーカス量を検出する焦点検出手段（１０２）と、前記焦点検出手段により求められた過去複数回の焦点検出結果から将来の被写体の移動量を予測する予測演算手段（１０３）と、前記焦点検出手段によって得られた焦点検出結果に前記予測演算手段によって得られた将来の被写体の移動量を加味して撮影レンズの駆動量を決定し、撮影レンズの焦点調節を行う焦点調節手段（１０４）を有して構成される。
【００１９】
［実施例１］
次に、本発明の第１の実施例について説明する。
【００２０】
図２は、本発明の実施例１である一眼レフカメラの構成を示すブロック図である。
【００２１】
２０１は撮影レンズである。２０３はＡＦ（オートフォーカス）駆動手段である。ＡＦ駆動手段２０３は、例えばＤＣモータや超音波モータによって構成され、マイクロコンピュータ２２３の制御によって撮影レンズ２０１のフォーカスレンズ位置を変化させることによりピントを合わせる。
【００２２】
２０４は絞りである。２０５は絞り駆動手段である。絞り駆動手段２０５は、絞り２０４を駆動する。駆動されるべき量はマイクロコンピュータ２２３によって算出され、光学的な絞り値を変化させる。
【００２３】
２０６は撮影レンズ２０１から入射した光束をファインダ側と撮像素子側とに切替えるための主ミラーである。主ミラー２０６は常時はファインダ部へと光束を導くよう反射させるように配されているが、撮影が行われる場合には、撮像素子２１５へと光束を導くように上方に跳ね上がり光束中から待避する。また主ミラー２０６はその中央部が光の一部を透過できるようにハーフミラーとなっており、焦点検出を行うための一対のＡＦセンサ２３１ａ及び２３１ｂに光束の一部を入射するように透過させる。
【００２４】
２０７は主ミラー２０６から透過してきた光束を反射させ焦点検出を行うための一対のＡＦセンサ（焦点検出手段２１２内に配置されている）に導くためのサブミラーである。２０８はファインダを構成するペンタプリズムである。ファインダは他にピント板２０９、アイピース２１０などによって構成させる。
【００２５】
２１２は焦点検出手段である。主ミラーが下がっている状態において、主ミラー２０６の中央部を透過し、サブミラー２０７で反射された光束は、焦点検出手段２１２の内部に配置された光電変換を行うための一対のＡＦセンサに至る。被写体に対する撮影レンズの焦点調節状態を示すデフォーカス量は、一対のＡＦセンサの出力を演算することによって求められる。マイクロコンピュータ２２３は演算結果を評価してＡＦ駆動手段２０３に指示し、フォーカスレンズを駆動させる。
【００２６】
２１３はフォーカルプレーンシャッタである。２１４はシャッタ駆動手段であり、フォーカルプレーンシャッタ２１３を駆動する。シャッタの開口時間はマイクロコンピュータ２２３によって、制御される。
【００２７】
２１５は撮像素子である。撮像素子２１５には、ＣＣＤやＣＭＯＳセンサなどが用いられ、撮影レンズ２０１によって結像された被写体像を電気信号に変換する。２１６はクランプ回路である。２１７はＡＧＣ回路である。クランプ回路２１６やＡＧＣ回路２１７は、Ａ／Ｄ変換をする前の基本的なアナログ信号処理を行い、マイクロコンピュータ２２３により、クランプレベルやＡＧＣ基準レベルの変更が行われる。
【００２８】
２１８はＡ／Ｄ変換器である。Ａ／Ｄ変換器２１８は撮像素子２１５のアナログ出力信号をデジタル信号に変換する。２１９は映像信号処理回路であり、ゲートアレイなどのロジックデバイスにより実現される。２２０はメモリコントローラである。２２１はメモリである。２２２はバッファメモリである。
【００２９】
映像信号処理回路２１９は、デジタル化された画像データに、フィルター処理、色変換処理、ガンマ処理を行うと共に、ＪＰＥＧなどの圧縮処理を行い、メモリコントローラ２２０に出力する。
【００３０】
映像信号処理回路２１９は、必要に応じて撮像素子２１５の信号の露出情報やホワイトバランスなどの情報をマイクロコンピュータ２２３に出力することが可能である。それらの情報を基にマイクロコンピュータ２２３はホワイトバランスやゲイン調整の指示を行う。連続撮影動作の場合においては、一旦、未処理画像のままバッファメモリ２２２に撮影データを格納し、メモリコントローラ２２０を通して未処理の画像データを読み出し、映像信号処理回路２１９にて画像処理や圧縮処理を行い連続撮影を行う。連続撮影枚数は、バッファメモリ２２２の大きさに左右される。
【００３１】
メモリコントローラ２２０では、映像信号処理回路２１９から入力された未処理のデジタル画像データをバッファメモリ２２２に格納し、処理済みのデジタル画像データをメモリ２２１に格納する。また、逆にバッファメモリ２２２やメモリ２２１から画像データを映像信号処理回路部２１９に出力する。メモリ２２１は取り外し可能である場合もある。２２３はマイクロコンピュータである。２２４は操作部材である。
【００３２】
操作部材２２４は、マイクロコンピュータ２２３にその状態を伝え、マイクロコンピュータ２２３はその操作部材の変化に応じて各部をコントロールする。
【００３３】
また、操作部材２２４は止まっている被写体の撮影に適しているＯＮＥＳＨＯTモード、撮影距離が絶えず変化する被写体の撮影に適しているＡＩ−ＳＥＲＶＯモード、被写体の状態に応じてＯＮＥＳＨＯＴからＡＩ−ＳＥＲＶＯへとカメラが自動的に切り換えるＡＩ−ＦＯＣＵＳモードへの切り替え操作を行うことができる。
【００３４】
２２５はスイッチ１（以後ＳＷ１）である。
【００３５】
２２６はスイッチ２（以後ＳＷ２）である。スイッチＳＷ１とスイッチＳＷ２は、レリーズボタンの操作でオンオフするスイッチであり、それぞれ操作部材２２４の入力スイッチのうちの１つである。スイッチＳＷ１のみオンの状態はレリーズボタン半押し状態であり、この状態でオートフォーカスの動作を行い、測光動作を行う。
【００３６】
スイッチＳＷ１，ＳＷ２が共にオンの状態はレリーズボタンの全押し状態であり、画像を記録するためのレリーズボタンオン状態である。この状態で撮影が行われる。またスイッチＳＷ１，ＳＷ２がＯＮし続けている間は、連続撮影動作が行われる。
【００３７】
操作部材２２４には、他に、ＩＳＯ設定ボタン、画像サイズ設定ボタン、画質設定ボタン、情報表示ボタンなど不図示のスイッチが接続されており、スイッチの状態が検出されている。
【００３８】
２２７は電源部である。電源部２２７は、各ＩＣや駆動系に必要な電源を供給する。
【００３９】
図３において、前記焦点検出手段２１２の概略構成を示している。なお、図２中の構成要素と同じ構成要素には図２と同じ同符号を付している。また、図３では、各構成要素を撮影レンズ２０１の光軸上に展開して示している。ただし、図３では、主ミラー２０６およびサブミラー２０７を省略して示している。
【００４０】
焦点検出手段２１２は、フィールドレンズ３０３と一対の開口部を有する絞り３０４と、一対の２次結像レンズ３０５と、一対の光電変換素子列などからなるＡＦセンサ３０６ａ、３０６ｂとを有して構成されている。
【００４１】
光軸３０１ａ上の一点から発した光束は、撮影レンズ３０１を通過した後、撮像素子３０２上に結像するとともに、フィールドレンズ３０３、絞り３０４、および２次結像レンズ３０５を介して一対のＡＦセンサ３０６ａ及び３０６ｂ上に一定の間隔を隔てて結像する。
【００４２】
フィールドレンズ３０３は、撮影レンズ３０１の瞳３０１ｂと一対の２次結像レンズ３０５の入射瞳、すなわち絞り３０４付近が結像するように配置されており、絞り３０５の一対の開口部に対応して撮影レンズ３０１の瞳３０１ｂを図中上下方向に分割している。
【００４３】
このような構成において、例えば撮影レンズ３０１を図中左方に繰り出して、撮像素子３０２より左方に光束が結像すると、一対のＡＦセンサ３０６ａ及び３０６ｂ上の一対の像は矢印方向に変位する。この一対の像の相対的なずれ量をＡＦセンサ３０６ａ、３０６ｂで検出することで、撮影レンズ３０１の焦点検出を行い、さらに撮影レンズ３０１の焦点調節駆動を行うことが可能である。なお、撮影レンズ３０１を図中右方に繰り出した場合は、一対のＡＦセンサ３０６ａ、３０６ｂ上の一対の像は図中矢印方向とは反対方向に変位する。
【００４４】
以上のような焦点検出手段２１２を用いて、撮影レンズ３０１の焦点検出を行い、被写体に対して撮影レンズを精度よく追従させる。
【００４５】
次に、本発明の実施例１の焦点調節動作について説明する。
【００４６】
図５で示すように静音撮影モードのときにはミラーアップ動作を開始しても実際にミラーが上がり始めるまでには時間がかかるメカ構成のカメラがある。主ミラー２０６とフォーカルプレーンシャッタ２１３の駆動を１つのモータを用いて制御するメカ構成のカメラにおいてミラーアップをゆっくりとさせるためにはミラーアップを行うモータにチャージ時間を要する。チャージ時間を必要とすることでミラーアップ動作を開始しても実際にミラーが上がり始めるまでに時間がかかる要因である。以上のようなメカ構成のカメラにおいて、実施例１を達成するために、請求項１に記載の発明はレリーズタイムラグが通常より長い時間存在するドライブモードのときには被写体の検出距離に応じて前記第一の被写体像予測手段で算出される予測を行うことで大ボケ写真を抑制するものである。
【００４７】
図６は被写体の検出距離に応じて前記第一の被写体像予測手段で予測量を求めるためのフローチャートである。
【００４８】
ステップ＃１０１で被写体検出距離が閾値よりも長いか否かを判定する。ステップ＃１０１で閾値よりも長いと判定された場合には＃１０２に進み過去複数回の被写体検出結果を長く使って予測する。被写体検出距離が遠い場合にはＡＦセンサで捕える被写体が小さく、撮影者のスキルやＡＦセンサで捕える被写体以外のものも見えてしまうことが原因で、被写体検出が振れることが多い。そうすると、レリーズタイムラグが通常より長い時間存在するドライブモードのときには予測量が大外れする場合も多い。
【００４９】
そこで、過去複数回の被写体検出結果を長く使うことで、予測量を緩慢にして大外れな予測量を算出を抑制する。一方、ステップ＃１０１で被写体検出距離が閾値よりも短いと判定された場合には＃１０３に進み過去複数回の被写体検出結果を短く使って予測する。被写体検出距離が短い場合には単位時間当たりの被写体検出量が大きくなるため、被写体に精度良く追従させるためには短い予測を使って予測量を敏感にして算出する。
【００５０】
ステップ＃１０２、ステップ＃１０３で求められた予測量を被写体検出結果に加味してステップ＃１０４でレンズ駆動させることで被写体に精度よく追従させる。
【００５１】
以上、実施例１によればレリーズタイムラグが通常より長い時間存在するドライブモードにおいて、被写体検出距離に応じて過去複数回の被写体検出結果の長さを変えて予測することで、精度の良い焦点調節が可能である。
【００５２】
［実施例２］
以下、本発明の実施例２について説明する。
【００５３】
実施例２は実施例１と同様のカメラ構成で、焦点検出回路２１０を用いて撮影レンズ２０１の焦点検出を行い、焦点検出結果に予測演算によって得られた将来の被写体の移動量を加味して撮影レンズの駆動量を決定し、撮影レンズの焦点調節を行う。
【００５４】
本発明では撮影速度が遅いドライブモードのときには前記第一の光電変換素子列への蓄積動作を全素子列対象にすることで被写体へ精度よく追従させる。
【００５５】
一般的に、AI-SERVOにおいて1コマあたりに焦点検出ができる時間が規定されている。この規定された時間の中で焦点検出を複数回行い、複数回の焦点検出結果を用いてレリーズタイムラグに光軸方向に移動する被写体の移動量を予測して精度よく被写体に対してレンズを追従させる。１コマあたりに焦点検出できる時間は限られているため、前記ＡＦセンサへの蓄積指示は全ＡＦセンサに対して行うよりも蓄積指示を出すＡＦセンサを絞り込むことで、定められた時間の中で焦点検出を複数回実施することができる（図７）。しかし、コマ速が遅い場合には図８のように被写体が１コマ目と２コマ目でファインダー内を移動する量はコマ速が速い場合に比べて多い。被写体がファインダー内を移動する量が多いと蓄積指示がされていないＡＦセンサへ被写体が移動する可能性が高くなり、被写体を見失うことが多くなる。被写体を見失うと、予測に使う焦点検出結果に誤検出が含まれることになり、予測の精度も失われる、かつ大ボケ写真が得られやすくなる。
【００５６】
そこで、本発明では図９のように１コマ辺りに焦点検出ができる定められた時間の中で、ＡＦセンサへの蓄積指示を限定して焦点検出回数を多くするよりも、焦点検出回数が少なくして全ＡＦセンサへの蓄積指示させることで被写体を見失う可能性を少なくさせることで誤検出を少なくして予測させる。
【００５７】
以上、実施例２によれば撮影速度が遅いドライブモードにおいて、前記第一の光電変換素子列への蓄積動作を全素子列対象にして被写体へ精度よく追従させることで、精度の良い焦点調節が可能である。
【００５８】
［実施例３］
以下、本発明の実施例３について説明する。
実施例３は実施例１及び実施例２と同様のカメラ構成で、焦点検出回路２１０を用いて撮影レンズ２０１の焦点検出を行い、焦点検出結果に予測演算によって得られた将来の被写体の移動量を加味して撮影レンズの駆動量を決定し、撮影レンズの焦点調節を行う。
【００５９】
本発明ではファインダー消失時間が長いドライブモードのときには前記第一の光電変換素子列への蓄積動作を全素子列対象にすることで被写体へ精度よく追従させる。
【００６０】
ファインダー消失時間とはミラーアップからミラーダウンまでにかかる時間を表す。前記静音撮影モードのときにはミラーアップからミラーダウンまでにかかる時間が通常撮影モードのときよりも時間がかかる。よって、ファインダー消失時間が長くなる。
【００６１】
ファインダー消失時間が長いと、その間に被写体がどの方向に動いたのか分かりづらくなり撮影者が被写体を追いづらくなる。そうすることで、実施例２と同様に１コマ目と２コマ目の被写体の移動量が大きくなり、ＡＦセンサへの蓄積指示が限定されているとカメラが被写体を見失う可能性が高い。被写体を見失うと、予測に使う焦点検出結果に誤検出が含まれることになり、予測の精度も失われる、かつ大ボケ写真が得られやすくなる。
本発明では図９のように１コマ辺りに焦点検出ができる時間の中で、ＡＦセンサへの蓄積指示を限定して焦点検出回数を多くするよりも、焦点検出回数が少なくして全ＡＦセンサへの蓄積指示させることで被写体を見失う可能性を少なくさせることで誤検出を少なくして予測させる。
【００６２】
以上、実施例３によればファインダー消失時間が長いドライブモードにおいて、前記第一の光電変換素子列への蓄積動作を全素子列対象にして被写体へ精度よく追従させることで、精度の良い焦点調節が可能である。
【００６３】
以上、本発明の好ましい実施形態について説明したが、本発明はこれらの実施形態に限定されず、その要旨の範囲内で種々の変形及び変更が可能である。
【符号の説明】
【００６４】
１０１  信号蓄積手段
１０２  焦点検出手段
１０３  予測演算手段
１０４  焦点調節手段
２０１  撮影レンズ
２０３  ＡＦ駆動部
２０４  絞り
２０５  絞り駆動部
２０６  主ミラー
２０７  サブミラー
２０８  ペンタプリズム
２０９  ピント板
２１０  アイピース
２１２  焦点検出手段
２１３  シャッタ
２１４  シャッタ駆動手段
２１５  撮像素子
２１６  クランプ手段
２１７  ＡＧＣ手段
２１８  Ａ／Ｄ変換器
２１９  映像信号処理手段
２２０  メモリコントローラ
２２１  メモリ
２２２  バッファメモリ
２２３  マイクロコンピュータ
２２４  操作部材
２２５  スイッチ１
２２６  スイッチ２
２２７  電源部
３０１  撮影レンズ
３０２  撮像素子
３０３  フィールドレンズ
３０４  開口絞り
３０５  ２次結像レンズ
３０６  ＡＦセンサ
【図１】
2014145880.tif 000003
【図２】
2014145880.tif 000004
【図３】
2014145880.tif 000005
【図４】
2014145880.tif 000006
【図５】
2014145880.tif 000007
【図６】
2014145880.tif 000008
【図７】
2014145880.tif 000009
【図８】
2014145880.tif 000010
【図９】
2014145880.tif 000011